(57)【要約】      （修正有）【課題】音声信号を再生するための特定の動作モードで、または音声信号の音量を変更するための別の特定の動作モードで動作するように設定でき、操作者を鼓膜の損傷から保護することができる測定装置を提供する。【解決手段】測定装置は、音声収集モジュール１１、音声再生モジュール１３および切替モジュール１５を備える。音声再生モジュールは、音声収集モジュールに電気的に接続し、切替モジュールは、音声再生モジュールに電気的に接続する。音声収集モジュールは、音を収集して音声信号を生成する。音声再生モジュールは、音声信号を再生する。切替モジュールは、音声再生モジュールを制御するための許可信号を設定する。許可信号は、第１の状態または第２の状態のいずれかに設定される。許可信号が第１の状態にあるとき、音声再生モジュールは、音声信号を第１の出力モードで再生し、第２の状態にあるとき、第１の出力モードとは異なる第２の出力モードで再生する。【選択図】図１Ａ
0003189730.tif 000002
【実用新案登録請求の範囲】
【請求項１】
音を収集して音声信号を生成する音声収集モジュールと、
前記音声収集モジュールに電気的に接続されて、前記音声信号を再生する音声再生モジュールと、
前記音声再生モジュールに電気的に接続されて、前記音声再生モジュールを制御するための許可信号を設定する切替モジュールと、
を備え、
前記許可信号は第１の状態または当該第１の状態とは異なる第２の状態のいずれかにあり、前記許可信号が前記第１の状態にあるとき、前記音声再生モジュールは前記音声信号を第１の出力モードで再生し、前記許可信号が前記第２の状態にあるとき、前記音声再生モジュールは前記音声信号を前記第１の出力モードとは異なる第２の出力モードで再生する
ことを特徴とする測定装置。
【請求項２】
前記切替モジュールに電気的に接続された処理モジュールをさらに備え、
前記許可信号が前記第１の状態にあるとき、前記処理モジュールは、動作を禁止され、
前記許可信号が前記第２の状態にあるとき、前記処理モジュールは、アルゴリズムを用いて前記音声信号を処理する動作を許可される
ことを特徴とする請求項１に記載の測定装置。
【請求項３】
前記処理モジュールに電気的に接続された記憶モジュールをさらに備え、
前記許可信号が前記第２の状態にあるとき、前記処理モジュールは、処理された音声信号を前記記憶モジュールに格納する動作をさらに行う
ことを特徴とする請求項２に記載の測定装置。
【請求項４】
前記音声信号は第１のサブバンド信号および第２のサブバンド信号を含み、
前記音声収集モジュールは、
前記処理モジュールに電気的に接続されて、第１の周波数範囲で音を収集して前記第１のサブバンド信号を生成する第１の音声収集部と、
前記処理モジュールに電気的に接続されて、前記第１の周波数範囲とは異なる第２の周波数範囲で音を収集して前記第２のサブバンド信号を生成する第２の音声収集部と、
を備えたことを特徴とする請求項２に記載の測定装置。
【請求項５】
前記音声信号は、第１のサブバンド信号および第２のサブバンド信号を含み、
前記音声収集モジュールは、
音を収集して前記音声信号を生成する第３の音声収集部と、
前記第３の音声収集部および前記処理モジュールに電気的に接続されて、前記音声信号をフィルタリングして前記第１のサブバンド信号を生成する第１のフィルタ部と、
前記第３の音声収集部および前記処理モジュールに電気的に接続されて、前記音声信号をフィルタリングして前記第２のサブバンド信号を生成する第２のフィルタ部と、を備え、
前記第１のサブバンド信号の周波数範囲は、前記第２のサブバンド信号の周波数範囲とは異なる
ことを特徴とする請求項２に記載の測定装置。
【請求項６】
前記切替モジュールは、
押下されると、前記許可信号を設定し、
押下する圧力が所定閾値よりも小さい場合、前記許可信号を前記第１の状態に設定し、
押下する圧力が前記所定閾値よりも大きい場合、前記許可信号を前記第２の状態に設定する
ことを特徴とする請求項１に記載の測定装置。
【請求項７】
前記測定装置は測定端子を有し、当該測定端子に前記音声収集モジュールおよび前記切替モジュールがあることを特徴とする請求項１に記載の測定装置。
【請求項８】
前記音声収集モジュールは、
前記切替モジュールに電気的に接続された上位ビット収集部と、
前記切替モジュールに電気的に接続された下位ビット収集部と、
を備え、
前記許可信号が前記第１の状態にあるとき、前記下位ビット収集部ではなく前記上位ビット収集部が第１の収集モードで音を収集して前記音声信号を生成する動作を許可され、前記許可信号が前記第２の状態にあるとき、前上位ビット収集部および前記下位ビット収集部が第２の収集モードで音を収集して前記音声信号を生成する動作が許可される
ことを特徴とする請求項１に記載の測定装置。
【請求項９】
前記切替モジュールおよび前記音声再生モジュールに電気的に接続されて、動作を許可されている場合、変調信号に従って前記音声再生モジュールの音量の値を変更する音量調整モジュールをさらに備え、
前記許可信号が前記第１の状態にあるとき、前記音量調整モジュールは動作が禁止され、
前記許可信号が前記第２の状態にあるとき、前記音量調整モジュールは動作が許可される
ことを特徴とする請求項１に記載の測定装置。
【考案の詳細な説明】
【技術分野】
【０００１】
本開示は、測定装置に関し、さらに詳細には、この測定装置の入力に応じて出力を決定する測定装置に関する。
【背景技術】
【０００２】
市販されているほとんどの家庭用測定装置は、一種類のデータしか測定せず、複雑な生理現象を測定して記録することはできず、使用者に相対的な提示をリアルタイムで示すことすらできない。
例えば、市販されている血圧または脈拍を測定する製品の多くは、使用者の血圧または脈拍が高すぎるか低すぎるかを判定するだけである。しかし、血圧または脈拍の測定結果を使用するだけで他の心血管疾患および呼吸器疾患を診断することはできない。そのため、医師は、このような疾患を診断するためには常に聴診器の測定結果を用いる。
【考案の概要】
【考案が解決しようとする課題】
【０００３】
一般に、このような聴診器を的確に操作し、聴診器の測定結果を用いて記録した音と疾患との関係を判断するためには、熟練の操作者を必要とするものである。したがって、未熟練の操作者にとっては、聴診器を操作して自分自身の健康状態を的確に測定することが困難なことがあり、的確に操作しなければ自身の鼓膜を損傷することさえあり得る。
【課題を解決するための手段】
【０００４】
一実施形態によれば、測定装置は、音声収集モジュール、音声再生モジュールおよび切替モジュールを備える。音声再生モジュールは、音声収集モジュールに電気的に接続し、切替モジュールは、音声再生モジュールに電気的に接続している。音声収集モジュールは、音を収集して音声信号を生成する。音声再生モジュールは、音声信号を再生する。切替モジュールは、音声再生モジュールを制御するための許可信号を設定する。許可信号は、第１の状態またはこの第１の状態とは異なる第２の状態のいずれかに設定される。許可信号が第１の状態にあるとき、音声再生モジュールは、音声信号を第１の出力モードで再生する。許可信号が第２の状態にあるとき、音声再生モジュールは、音声信号を第１の出力モードとは異なる第２の出力モードで再生する。
【０００５】
上記のように、本開示によって操作者は、再生された音声信号の音量を上げるか、あるいは音声信号を比較的低音量に固定して再生し、鼓膜に及ぶ破損から操作者を保護することができる。
【０００６】
本考案は、添付の図面に沿って以下に挙げた詳細な説明文から、さらに完全に理解されるであろう。図面は、説明を目的としているだけであり、本考案を限定するものではない。
【図面の簡単な説明】
【０００７】
【図１Ａ】一実施形態による測定装置の側面図である。
【図１Ｂ】一実施形態による測定装置のブロック図である。
【図２Ａ】図１Ｂに示した音声収集モジュールのブロック図である。
【図２Ｂ】図１Ｂに示した音声収集モジュールのブロック図である。
【図２Ｃ】図１Ｂに示した音声収集モジュールのブロック図である。
【図３Ａ】一実施形態による測定装置の側面図である。
【図３Ｂ】一実施形態による測定装置の側面図である。
【考案を実施するための形態】
【０００８】
以下の詳細な説明文では、説明を目的として、開示する実施形態を完全に理解してもらうために数々の特定の詳細を記載する。しかしながら、これらの特定の詳細がなくとも、１つ以上の実施形態を実践できることは明らかであろう。また、図面を簡易化するために、公知の構造および装置を概略的に示している。
【０００９】
本開示は、測定装置を押下した際に、心音または呼吸音を収集、記録できる測定装置を提供するものであり、よって、本測定装置は、電気聴診器に適用可能である。このような電気聴診器の操作には、一般的な医療従事者の操作習慣を参考にすることができ、これによって、未熟練または熟練の操作者は、この電気聴診器を操作することができる。
さらに、この電気聴診器は、音声信号を再生するための特定の動作モードで、または音声信号の音量を変更するための別の特定の動作モードで動作するように設定されることができ、これによって、本開示により、操作者を鼓膜の損傷から保護することができる。
【００１０】
図１Ａに示したように、本測定装置は、音声収集モジュール１１、音声再生モジュール１３および切替モジュール１５を備えている。音声再生モジュール１３は、図１Ｂに示したように、音声収集モジュール１１および切替モジュール１５に電気的に接続している。
【００１１】
音声収集モジュール１１は、音を収集して音声信号を生成できる。特定の実施形態では、音声信号は、第１のサブバンド信号であって、例えば周波数範囲が２００〜２０００Ｈｚの間である音声信号、および第２のサブバンド信号であって、例えば周波数範囲が２０〜１０００Ｈｚの間である音声信号を含む。特に、図２Ａを参照すると、音声収集モジュール１１は、第１の音声収集部１１１および第２の音声収集部１１３を備え、この両方が、処理モジュール１７に有線または無線で電気的に接続している。
第１の音声収集部１１１は、音を収集して第１のサブバンド信号を生成でき、第２の音声収集部１１３は、音を収集して第２のサブバンド信号を生成できる。非限定的な一例として、第１の音声収集部１１１は、２００〜２０００Ｈｚの間の高周波数範囲で音を収集し、第２の音声収集部１１３は、２０〜１０００Ｈｚの間の低周波数範囲で音を収集する。非限定的な一例として、第１の音声収集部１１１は、ダイアフラムの付いたチェストピース、バンドパスフィルタを有する音声収集器、または高周波数範囲の音を収集できる任意の適切な音声収集器とすることができる。非限定的な一例として、第２の音声収集部１１３は、ベル型のチェストピース、ローパスフィルタを有する音声収集器、または低周波数範囲の音を収集できる任意の適切な音声収集器とすることができる。
【００１２】
図２Ｂを参照する。特定の実施形態では、音声収集モジュール１１は、第３の音声収集部１１５、第１のフィルタ部１１７（例えばバンドパスフィルタ）および第２のフィルタ部１１９（例えばローパスフィルタ）を備えている。第３の音声収集部１１５は、直接または第１のフィルタ部１１７および／または第２のフィルタ部１１９を介して、処理モジュール１７に電気的に接続している。第３の音声収集部１１５は、（ヒトの耳で聴きとることができる）音を直接収集して音声信号を生成でき、この音声信号は、第１のフィルタ部１１７でフィルタリングされて、周波数範囲が例えば２００〜２０００Ｈｚの間である第１のサブバンド信号になるか、あるいは、第２のフィルタ部１１９でフィルタリングされて、周波数範囲が例えば２０〜１０００Ｈｚの間である第２のサブバンド信号になる。
音声信号を受信した後、処理モジュール１７は、この音声信号の一部または全部を処理し、送信することができる。音声収集モジュール１１は、特定の要求に応じて設計されることができる。非限定的な一例として、第３の音声収集部１１５は、ダイナミックマイクロホン、コンデンサーマイクロホン、エレクトレットコンデンサーマイクロホン、微小電気機械システム（ＭＥＭＳ）マイクロホン、リボンマイクロホン、カーボンマイクロホン、圧電マイクロホン、光ファイバマイクロホン、レーザーマイクロホン、水中マイクロホン、または音を収集するための任意の適切なアナログ−デジタル変換器（ＡＤＣ）とすることができる。非限定的な一例として、第１のフィルタ部１１７および第２のフィルタ部１１９は、アナログフィルタまたはデジタルフィルタとすることができる。
【００１３】
音声再生モジュール１３は、音声信号を再生できる。特定の実施形態では、音声再生モジュール１３は、１つ以上のデジタル−アナログ変換器（ＤＡＣ）を備えることができ、音声再生モジュール１３がアクセスするビット数は、音声収集モジュール１１が出力するデジタル音声信号のビット数に等しい。
非限定的な一例として、音声収集モジュール１１が出力する音声信号が８ビットのとき、音声再生モジュール１３は、８ビットのＤＡＣである。非限定的な一例として、音声再生モジュール１３は、直列または並列のＤＡＣとすることができ、音声再生モジュール１３の入力は、音声収集モジュール１１の出力と一致していてよい。このほか、音声再生モジュール１３は、さらに、外部の音声再生器に接続するための音声出力ポート（例えば３．５ミリメートルのイヤホンジャック）を１つ以上備えることができる。
【００１４】
切替モジュール１５は、音声再生モジュール１３を制御するための許可信号を設定できる。非限定的な一例として、許可信号は、第１の状態またはこの第１の状態とは異なる第２の状態のいずれかにある。許可信号が第１の状態にあるとき、音声再生モジュール１３は、音声信号を第１の出力モードで再生し、許可信号が第２の状態にあるとき、音声再生モジュール１３は、音声信号を第１の出力モードとは異なる第２の出力モードで再生する。
非限定的な一例として、第１の出力モードは、音声信号が比較的低音量で再生されることを指し、第２の出力モードは、音声信号が比較的大音量で再生されることを指す。もう１つの非限定的な一例として、第１の出力モードは、音声信号が固定音量で再生されることを指し、第２の出力モードは、再生した音声信号の音量を変更できることを指す。
【００１５】
図１Ａを参照すると、切替モジュール１５および音声収集モジュール１１は、測定装置の測定端子にある、すなわち、図面の測定装置の底面近くにある。特定の実施形態では、図３Ａを参照すると、切替モジュール１５は、音声収集モジュール１１の下にあるボタンとすることができ、測定装置の底面は、柔軟なものである。
測定装置の適切な箇所を押下すると、切替モジュール１５は、音声収集モジュール１１と接触し、この接触によりボタンを押下したことになる。逆に、測定装置を押下しなければ、これと同じ底部は押下されない。そのため、切替モジュール１５は、底部が押下されていないときは許可信号を第１の状態に設定し、切替モジュール１５は、底部が押下されたときは許可信号を第２の状態に設定する。
【００１６】
もう１つの非限定的な一例として、図３Ｂの切替モジュール１５は、２つの対面する金属フィルムで作製され、このフィルムは、音声収集モジュール１１の下と、測定装置の内側の底面内部とにそれぞれ配置され、測定装置の底面は柔軟なものである。
測定装置が押下されていないとき、金属フィルム間の容量値は一定になる。測定装置が適切な箇所で押下されているとき、２つの金属フィルムは、互いに接近し、金属フィルム間の容量値は増大する。その代わりに、金属フィルムが互いに接触すると、容量値はゼロになる。
そのため、測定装置は、切替モジュール１５の金属フィルム間の容量値を測定することで、装置自体が押下されているかどうかを認識することができる。例えば、２つの金属フィルム間の容量値が所定閾値よりも高いかゼロであれば、切替モジュール１５は、測定装置が押下されたことを認識し、許可信号は第２の状態に設定される。容量が所定閾値よりも小さく、かつゼロでなければ、切替モジュール１５は、測定装置が押下されていないことを認識し、許可信号は第１の状態に設定される。
【００１７】
図１Ｂを参照する。一実施形態では、測定装置は、さらに、切替モジュール１５に電気的に接続している処理モジュール１７を備えることができる。許可信号が第１の状態にあるとき、処理モジュール１７は動作が禁止され、許可信号が第２の状態にあるとき、処理モジュール１７は、搭載されているアルゴリズムに従って、音声収集モジュール１１が出力した音声信号を処理できるようになる。
非限定的な一例として、アルゴリズムは、デバッグギング、デジタルフィルタリング、または音声信号を処理するための任意の適切なアルゴリズムを含むことができる。非限定的な一例として、アルゴリズムには、アプリケーションの移動可能性プロファイル（Ａｐｐｌｉｃａｔｉｏｎ  Ｐｏｒｔａｂｉｌｉｔｙ  Ｐｒｏｆｉｌｅ）（ＡＰＰ）を含めることができる。非限定的な一例として、処理モジュール１７は、中央処理装置（ＣＰＵ）、ワンチッププロセッサ、または計算能力、論理処理能力および制御能力を有する任意の適切な電気機器とすることができる。
【００１８】
このほか、測定装置は、さらに、処理モジュール１７に電気的に接続している記憶モジュール１９を備えることができる。許可信号が第２の状態にあるとき、処理モジュール１７は、処理した音声信号を記憶モジュール１９に記憶する。そのため、処理した音声信号は、この場合、読み出されることができる。
いくつかの実施形態では、音声再生モジュール１３は、処理モジュール１７または記憶モジュール１９に接続していてよい。非限定的な一例として、第１の出力モードは、音声信号が一定の音量で再生されることを指し、第２の出力モードは、音声信号が再生されずに、直接または処理モジュール１７を介して記憶モジュール１９に記憶されることを指す。
【００１９】
非限定的な一例として、音声収集モジュール１１は、出力が（Ｍ＋Ｎ）ビットのＡＤＣを備えることができ、この場合のＭおよびＮは、１よりも大きい整数である。非限定的な一例として、ＡＤＣは、上位Ｍビットを処理する上位ビット収集部１１２、および下位Ｎビットを処理する下位ビット収集部１１４を備え、この場合の上位ビットとは、（Ｍ＋Ｎ）ビットの二進数の中の最上位ビット（ＭＳＢ）に最も近いビットを指し、下位ビットとは、その二進数の中の最下位ビット（ＬＳＢ）に最も近いビットを指す。
許可信号が第１の状態であれば、上位ビット収集部１１２のみが動作を許可され、（Ｍ＋Ｎ）ビットのうちの上位Ｍビットが出力され、（Ｍ＋Ｎ）ビットのうちの下位Ｎビットは、無視されるまたは阻止される。ここで、音声再生モジュール１３に入力する（Ｍ＋Ｎ）ビットのうちの上位Ｎビットは低くなり、（Ｍ＋Ｎ）ビットのうちの下位Ｍビットは、音声収集モジュール１１が出力した上位Ｍビットと同じだけ高くなる。そのため、操作者は、音声信号の音を現在の音量で聴くことができる。
一方、許可信号が第２の状態であれば、上位ビット収集部１１２と下位ビット収集部１１４との両方が動作を許可され、この場合は、（Ｍ＋Ｎ）ビットすべてが音声収集モジュール１１から出力される。ここで、音声再生モジュール１３に入力する（Ｍ＋Ｎ）ビットは、音声収集モジュール１１が出力する（Ｍ＋Ｎ）ビットにそれぞれ一致する。そのため、操作者は、音声信号のさらに詳細部分を聴くことができる。
【００２０】
一実施形態では、測定装置は、さらに、音声再生モジュール１３に電気的に接続している音量調整モジュール２１を備えることができ、変調信号に従って音声信号の音量を変更することができる。許可信号が第１の状態であれば、音量調整モジュール２１は動作が禁止され、出力音量を、音量調整モジュール２１を用いて変更することはできない。
許可信号が第２の状態であれば、音量調整モジュール２１は動作が許可され、出力音量を、音量調整モジュール２１を用いて変更できる。したがって、許可信号が第１の状態にあるときに（すなわち測定装置が押下されていないときに）、音量を高く設定しすぎたり、音を高すぎる音量で収集したりすることで鼓膜に及ぶ損傷から、操作者を保護することができる。
【００２１】
上記のように、本開示によって操作者は、再生された音声信号の音量を上げるか、あるいは音声信号を比較的低音量に固定して再生し、鼓膜に及ぶ破損から操作者を保護することができる。
【図１Ａ】
0003189730.tif 000003
【図１Ｂ】
0003189730.tif 000004
【図２Ａ】
0003189730.tif 000005
【図２Ｂ】
0003189730.tif 000006
【図２Ｃ】
0003189730.tif 000007
【図３Ａ】
0003189730.tif 000008
【図３Ｂ】
0003189730.tif 000009